(57)【要約】      （修正有）【課題】重量スイッチを不要とすると共に、損失が軽減できる発電により踏板に設けた発光手段に電気を供給するマンコンベアを提供する。【解決手段】踏板１０を第１地点から第２地点に移動させると共に、踏板１０を循環させる移動機構２０と、第１地点から前記第２地点に沿って設けられると共に、踏板１０に近接して設けられた側板４０とを備えたマンコンベアにおいて、側板４０に設けられると共に、所定の間隔で設けられた複数の永久磁石５３と、踏板１０に設けられると共に、永久磁石５３との相対運動により両端に電圧を発生するコイル５１と、コイル５１から発生する誘起電圧により駆動されると共に、踏板１０の表面部に設けた発光ダイオード６１と、を備えた。【選択図】図２
2007320673.tif 000002
【特許請求の範囲】
【請求項１】
複数の踏板と、
該踏板を第１地点から第２地点に移動させると共に、前記踏板を循環移動させる移動機構と、
前記第１地点から前記第２地点に沿って設けられると共に、前記踏板に近接して設けられた固定部とを備えたマンコンベアにおいて、
前記固定部に所定の間隔で設けられた複数の永久磁石と、
該踏板に設けられると共に、前記永久磁石との相対運動により両端に電圧を発生するコイルと、
前記コイルから発生する前記電圧により駆動されると共に、前記踏板に設けられた発光手段と、
を備えたことを特徴とするマンコンベア。
【請求項２】
前記コイルは、前記踏板の側面に設けられており、
前記固定部は、前記踏板の側面に設けられた側板であり、
該側板に前記永久磁石が設けられている、
ことを特徴とする請求項１に記載のマンコンベア。
【請求項３】
前記コイルは、前記踏板の下端部に設けられており、
前記固定部は、前記踏板に設けられたローラを案内するレールであり、
該レールに前記永久磁石が設けられている、
ことを特徴とする請求項１に記載のマンコンベア。
【発明の詳細な説明】
【技術分野】
【０００１】
本発明は、マンコンベアに関するものである。
【背景技術】
【０００２】
従来のマンコンベアは下記特許文献１に記載のように、高さの異なる二地点に夫々一対のスプロケットを設け、二地点間の二組のスプロケットにコロを有する踏板チェーンを巻回し、相互に略平行に配置した踏板チェーンの間に、踏板チェーンの全長にわたって、人を載せるための踏板を複数配置し、夫々の踏板の前後方向での一方の両側は踏板チェーンに回動自在に装着し、他方の両側には回転自在な車輪を設け、前記コロ及び車輪が転がるための踏板レールを個別に設け、前記スプロケットに駆動手段を連動連結したマンコンベアにおいて、前記車輪に発電機を連動連結し、踏板に表示部を取り付け、踏板が露出している位置では閉じる一方、露出しないで踏板が反転している位置では開く重量スイッチを介して表示部と発電機とを接続したものである。
【０００３】
かかるマンコンベアによれば、踏板レール上を転がる車輪に発電機を連動連結するとともに該発電機を、重量スイッチを介して表示部に接続したので、踏板レールが露出する乗客側に位置するときにのみ重量スイッチが閉じて表示部に電流が流れる。従って、無駄な発電がなくマンコンベアの駆動のために駆動力の大きなモータを用いなくても足りる。また、既存の車輪に発電機を連動連結したので、摺動部を介して電源を踏板まで導く必要がなく、発電機を回すためのシステムを別個に作る必要がない。
【特許文献１】特開平１１−２０９０５６号公報
【発明の開示】
【発明が解決しようとする課題】
【０００４】
上記マンコンベアでは、前記車輪に発電機を連動連結し、踏板に表示部を取り付け、踏板が露出している位置では閉じる一方、露出しないで踏板が反転している位置では開く重量スイッチを介して表示部と発電機とを接続して発電機に掛かる負荷を軽減している。
しかしながら、踏板に設けられた車輪に発電機が連結されているので、該車輪が回転している時には発電機を駆動する。このため、発電機を駆動する損失が生じると共に、複雑な上記重量スイッチを必要とするという課題があった。
【０００５】
本発明は、上記のような課題を解決するためになされたもので、重量スイッチを不要とすると共に、損失が軽減できる発電により踏板に設けた発光手段に電気を供給するマンコンベアを提供することを目的とする。
【課題を解決するための手段】
【０００６】
第１の発明に係るマンコンベアは、複数の踏板と、該踏板を第１地点から第２地点に移動させると共に、前記踏板を循環移動させる移動機構と、前記第１地点から前記第２地点に沿って設けられると共に、前記踏板に近接して設けられた固定部とを備えたマンコンベアにおいて、前記固定部に所定の間隔で設けられた複数の永久磁石と、該踏板に設けられると共に、前記永久磁石との相対運動により両端に電圧を発生するコイルと、前記コイルから発生する前記電圧により駆動されると共に、前記踏板に設けられた発光手段と、を備えたことを特徴とするものである。
【０００７】
第２の発明に係るマンコンベアにおけるコイルは、踏板の側面に設けられており、固定部は、踏板の側面に設けられた側板であり、該側板に永久磁石が設けられている、ことを特徴とするものである。
【０００８】
第３の発明に係るマンコンベアにおけるコイルは、踏板の下端部に設けられており、固定部は、踏板に設けられたローラを案内するレールであり、該レールに永久磁石が設けられている、ことを特徴とするものである。
【発明の効果】
【０００９】
第１の発明によれば、マンコンベアの固定部に所定の間隔で設けられた複数の永久磁石と、踏板に設けられると共に、永久磁石との相対運動により両端に電圧を発生するコイルと、該電圧により発光手段を駆動する。
これにより、永久磁石とコイルとの相対運動に基づく発電によって踏板に設けた発光手段に電気を供給する。したがって、重量スイッチを不要とすると共に、電力損失が軽減できる発光手段を有する踏板を備えたマンコンベアを得ることができるという効果がある。
【００１０】
第２又は第３の発明によれば、踏板にコイルを取付け、レール又は側板に永久磁石を設けたので、簡易にコイル及び永久磁石を取付けできるという効果がある。
【発明を実施するための最良の形態】
【００１１】
実施の形態１．
本発明の一実施の形態を図１乃至図３によって説明する。図１は本発明の一実施の形態を示すマンコンベアの全体構成図、図２は図１に示すマンコンベアの踏板とレールとを示す斜視図、図３は図２に示す発光ダイオードの電気回路図である。
図１において、マンコンベア１は、手摺３と、デッキボード(欄干)５と、複数の踏板１０とを有しており、乗降口には、下側トラス７と、上側トラス９とを備えている。デッキボード(欄干)５の内部には、踏板１０を駆動する移動機構２０を備えている。
移動機構２０は、乗員が乗り込む踏板１０を乗込み部１ａ(第１地点)から降り部１ｃ(第２地点)に移動させると共に、踏板１０を循環移動させる上部に設けられた第１スプロケット２１と、下部に設けられた第２スプロケット２２と、第１スプロケット２１と第２スプロケット２２とを連結する無端状のチェーン２４と、踏板１０の走行を案内させる無端状のレール２６とを備え、各段の踏板１０の固定部１０ｃがチェーン２４に所定間隔で固定されている。
駆動部３０は移動機構２０を駆動するもので、第１スプロケット２１の軸(図示せず)を、減速機３１を介して回転駆動するモータ３３と、モータ３３を駆動制御する制御盤３５を有している。そして、乗込み部１ａ(第１地点)から降り部１ｃ(第２地点)に沿って設けられると共に、移動機構２０及び駆動部３０は、踏板１０の側面近傍に設けられた固定部としての側板４０により覆われている。
【００１２】
図２において、踏板１０には、下部にレール２６を走行する一対の下部ローラ１２と、上部にレール２６を走行する一対の上部ローラ１３と、側面１０ａに固定されたコイル５１と、前面に設けられた多数の発光ダイオード(発光手段)６１と、側面の前面部に固定された抵抗６４とを有している。側板４０には、踏板１０の側面１０ａと対向して近接する位置に、所定の間隔で多数の永久磁石５３が設けられている。
【００１３】
図３において、発光ダイオード６１は、コイル５１と永久磁石５３との磁束の鎖交により発生した方形波状の起電力６０が印加され、抵抗６４を通じて電流が流れ、踏板１０が昇降している時に点滅するように形成されている。
【００１４】
上記のように構成されたマンコンベアの動作を図1乃至図３によって説明する。まず、マンコンベアの起動指令が発生すると、制御盤３５によりモータ３３を駆動して減速機３１を介して第１スプロケット２１を回転する。そうすると、チェーン２４が移動して第２スプロケット２２も回転する。これにより、チェーン２４に連結された踏板１０が上昇又は下降する。
【００１５】
かかる踏板１０の上昇又は下降によりコイル５１が永久磁石５３の近傍を次々と通過するので、コイル５１には、図３に示すように方形波状の誘起電圧６０が発生して発光ダイオード６１を点滅させる。
したがって、重量スイッチを不要とすると共に、コイル５１と永久磁石５３との相対運動に基づいて発電するので、発電損失が軽減できる発光ダイオード６１を有する踏板１０を備えたマンコンベアを得ることができる。
【００１６】
実施の形態２．
本発明の他の実施の形態を図４によって説明する。図４はマンコンベアの踏板とレールとを示す斜視図である。
実施形態１では、コイル５１を踏板１０の側面に固定し、永久磁石５３を側板４０に固定したが、本実施の形態では、コイル１５１を踏板１０の下端部に固定し、永久磁石１５３をレール２６に固定したものである。
本実施の形態の作用は、実施形態１とほぼ同様であるので、説明を省略する。
【産業上の利用可能性】
【００１７】
本発明は、マンコンベアに適用できる。
【図面の簡単な説明】
【００１８】
【図１】本発明の一実施の形態を示すマンコンベアの全体構成図である。
【図２】図１に示すマンコンベアの踏板とレールとを示す斜視図である。
【図３】図２に示す発光ダイオードの電気回路図である。
【図４】本発明の他の実施の形態によるマンコンベアの踏板とレールとを示す斜視図である。
【符号の説明】
【００１９】
１０  踏板、２０  移動機構、２６  レール、４０  側板、５１，１５１  コイル、５３，１５３  永久磁石、６１  発光ダイオード(発光手段)。
【図１】
2007320673.tif 000003
【図２】
2007320673.tif 000004
【図３】
2007320673.tif 000005
【図４】
2007320673.tif 000006